(57)【要約】【課題】  簡単かつ低コストな構成でありながら、縦シールが開封方向に交差して存在する包装袋であっても、良好に開封可能として内容物の円滑な取り出しに貢献可能な包装袋を提供する。【解決手段】  このため、本発明に係る包装袋１１は、包装フィルムの両端を重ね合わせて合掌貼り縦シール１２を施すと共に、底側を横シールすることで底側横シール１３と、上側を横シールすることで上側横シール１５と、を形成することで、その内側の内容物収容部１４に内容物を封入した包装袋１１であって、上側横シール１５の部分を横方向に破断することで開封するようにした包装袋１１において、開封線上の前記上側横シール１５と前記合掌貼り縦シール１２とが交差する部分に、合掌貼り縦シール１２の幅以上の貫通孔（切り込み）１８を設けたことを特徴とする。【選択図】図１
2019059489.tif 000002
【特許請求の範囲】
【請求項１】
包装フィルムの両端を重ね合わせて縦シールを施すと共に、
底側を横シールすることで底側横シールと、上側を横シールすることで上側横シールと、を形成することで、その内側の内容物収容部に内容物を封入した包装袋であって、
上側横シールの部分を横方向に破断することで開封或いは個別に切り離すようにした包装袋において、
開封線或いは切り離し線上の前記上側横シールと前記縦シールとが交差する部分に、縦シールの幅以上を有し厚さ方向に貫通している貫通部を設けた
ことを特徴とする包装袋。
【請求項２】
開封線と交差するように、前記上側横シールには、部分的にシールが施されず内容物収容部に連通された内容物注出口が形成されていることを特徴とする請求項１に記載の包装袋。
【請求項３】
前記貫通部の開封開始側端部に、
厚さ方向に貫通していると共に、開封線と交差する方向に延在される傾斜部が接続されていることを特徴とする請求項１又は請求項２に記載の包装袋。
【請求項４】
前記貫通部は、円形状に貫通されていることを特徴とする請求項１又は請求項２に記載の包装袋。
【請求項５】
前記貫通部が上側横シールの上端及び開封開始側端部まで延在されていることで、上側横シールの一部が切除されていることを特徴とする請求項１又は請求項２に記載の包装袋。
【発明の詳細な説明】
【技術分野】
【０００１】
本発明は、包装フィルムを筒状にフォーミング（成形）しその周方向両端（左右端）を重ね合わせてシール（縦シール）して合掌貼り（背貼り）を形成すると共に、その先端（下端、底側）と後端（上端、上側）をサイドシール（横シール）することで、内部に内容物を封入した所謂ピロータイプ或いはスティックタイプの包装袋の構造に関する。
【背景技術】
【０００２】
この種のピロータイプの包装袋の従来例としては、例えば、特許文献１等に記載されている。
【０００３】
ここで、図１２（Ａ）、図１２（Ｂ）に示すような構成のピロータイプの包装袋の場合、使用者が、当該ピロータイプの包装袋１を開封する場合は、ノッチ７を開封開始位置として、充填物注出口（内容物注出口：ビン口）６を通るように（横切るように）横方向に破断（切断）している。
【先行技術文献】
【特許文献】
【０００４】
【特許文献１】特開平１１−２６３３７４号公報
【発明の概要】
【発明が解決しようとする課題】
【０００５】
しかし、上述のようにして開封するときに、合掌貼り縦シール２の位置で開封が止まってしまったり、開封方向が斜めの方向にずれてしまうことがあり、円滑かつ良好に開封することができないという実情があった（図１２（Ｃ）参照）。
【０００６】
これは、合掌貼り部分（背張りの部分、縦シール部分）は、円筒状にフォーミングした包装フィルムの周方向端部同士を重ね合わせて熱シールするため少なくとも２枚の包装フィルムが重なり合っているため厚みが厚く、開封抵抗（引き裂き抵抗）が大きい場所となってしまうからである。
【０００７】
すなわち、充填物注出口（ビン口）６が形成される上端を横シールする際には、上端横シール５の部分と、合掌貼り縦シール２を基端部で折り曲げて、これらをまとめて熱シール装置により挟み込んで横シールするため、図１２（Ｄ）に示すように、上側横シール５や底側横シール３の部分では包装フィルムが４枚重なり合うため、上端横シール５の厚みをＴ１とし、合掌貼り縦シール２の部分を含めた厚みをＴ２とすると、Ｔ２はＴ１の約２倍の厚みとなっている。
【０００８】
また、合掌貼り縦シール２を基端部で折り曲げているため、図１２（Ｄ）の折り部分（折り返し部分）８、９に示す通り、合掌貼り縦シール２が上側横シール５に対して構造上補強リブの役割を果たしてしまい、開封の妨げとなっているといった実情がある。
【０００９】
また、合掌貼り縦シール２は、美観及びシール強度を向上させるために、開封方向と直交する模様（合掌貼り縦シール２の延在方向に沿った複数の縦溝或いは縦すじ、凹凸など）が施されていることがあり、かかる模様が合掌貼り縦シール２の剛性を上げてしまうため、開封の際の妨げ（抵抗）となってしまうといった実情がある。
【００１０】
本発明は、このような実情に鑑みなされたもので、簡単かつ低コストな構成でありながら、縦シールが開封方向（或いは連設された包装袋を個別に切り離すための切り離し方向）に交差して存在する包装袋であっても、良好に開封可能（或いは切り離し可能）として内容物の円滑な取り出しに貢献可能な包装袋を提供することを目的とする。
【課題を解決するための手段】
【００１１】
このため、本発明に係る包装袋は、
包装フィルムの両端を重ね合わせて縦シールを施すと共に、
底側を横シールすることで底側横シールと、上側を横シールすることで上側横シールと、を形成することで、その内側の内容物収容部に内容物を封入した包装袋であって、
上側横シールの部分を横方向に破断することで開封或いは個別に切り離すようにした包装袋において、
開封線或いは切り離し線上の前記上側横シールと前記縦シールとが交差する部分に、縦シールの幅以上を有し厚さ方向に貫通している貫通部を設けた
ことを特徴とする。
【００１２】
本発明において、開封線と交差するように、前記上側横シールには、部分的にシールが施されず内容物収容部に連通された内容物注出口が形成されていることを特徴とすることができる。
【００１３】
本発明において、前記貫通部の開封開始側端部に、厚さ方向に貫通していると共に開封線と交差する方向に延在される傾斜部が接続されていることを特徴とすることができる。
【００１４】
本発明において、前記貫通部は、円形状に貫通されていることを特徴とすることができる。
【００１５】
本発明において、前記貫通部が上側横シールの上端及び開封開始側端部まで延在されていることで、上側横シールの一部が切除されていることを特徴とすることができる。
【発明の効果】
【００１６】
本発明によれば、簡単かつ低コストな構成でありながら、縦シールが開封方向（或いは連設された包装袋を個別に切り離すための切り離し方向）に交差して存在する包装袋であっても、良好に開封可能（或いは切り離し可能）として内容物の円滑な取り出しに貢献可能な包装袋を提供することができる。
【図面の簡単な説明】
【００１７】
【図１】（Ａ）は本発明に係る実施例１の包装袋の全体構成を示す正面図であり、（Ｂ）はその背面図であり、（Ｃ）は（Ａ）のＢ−Ｂ断面図である。
【図２】本発明に係る実施例２の包装袋の上部構成（拡大した上側横シール部分等）を示す背面図である。
【図３】本発明に係る実施例３の包装袋の上部構成（拡大した上側横シール部分等）を示す背面図である。
【図４】本発明に係る実施例４の包装袋の上部構成（拡大した上側横シール部分等）を示す背面図である。
【図５】本発明に係る包装袋の上部構成（拡大した上側横シール部分等）の他の態様の一例を示す背面図である。
【図６】本発明に係る包装袋の上部構成（拡大した上側横シール部分等）の他の態様の一例を示す背面図である。
【図７】（Ａ）は本発明に係る実施例５の包装袋の上部構成（拡大した上側横シール部分等）を示す背面図であり、（Ｂ）は（Ａ）のＣ−Ｃ断面図である。
【図８】本発明に係る実施例６の包装袋の上部構成（拡大した上側横シール部分等）を示す背面図である。
【図９】本発明に係る実施例７の包装袋の上部構成（拡大した上側横シール部分等）を示す背面図である。
【図１０】本発明に係る実施例８の包装袋の上部構成（拡大した上側横シール部分等）を示す背面図である。
【図１１】本発明に係る実施例９の包装袋の上部構成（拡大した上側横シール部分等）を示す背面図である。
【図１２】（Ａ）は従来のピロータイプの包装袋（ピロー放送袋）の全体構成を示す正面図であり、（Ｂ）はその背面図であり、（Ｃ）は（Ａ）のＡ−Ａ断面図であり、（Ｄ）は（Ｃ）の合掌部分（合掌貼り縦シールと上側横シールの重畳部分）を拡大して示した図である。
【発明を実施するための形態】
【００１８】
以下に、本発明に係る実施の形態を、添付の図面を参照しつつ説明する。なお、以下で説明する実施の形態により、本発明が限定されるものではない。
【実施例１】
【００１９】
本発明の実施の形態の一例である実施例１の包装袋（包装体）１１は、包装フィルムを筒状にフォーミング（成形）しその周方向両端（左右両側）の内面同士を対面させた状態（掌を合わせたような状態）で重ね合わせてシール（縦シール）して合掌貼り縦シール（背貼り）１２を形成すると共に、その先端（下端、底側）を横シールして底側横シールと、後端（上端、上側）を横シールして上側横シール１５と、を形成することで、その内側の充填物収容部（内容物収容部）１４に内容物を封入した所謂スティックタイプ或いはピロータイプの包装袋である。
【００２０】
より具体的な一例としては、実施例１の包装袋（包装体）１１は、例えば連続的に供給される包装フィルムを搬送方向に沿って折り返して開放側（周方向両端）を重畳させ、該重畳部分に対して縦シール（搬送方向に沿った方向のシール（合掌貼り縦シール））１２を施して筒状包装袋を形成すると共に、搬送方向と略直交する横方向シール（底側横シール）１３を施し、該筒状包装袋内の充填物内容部１４に相当する部位に原料充填ノズル等を介して充填物（内容物）を充填し、その後に筒状包装袋の上側部分に横シール（上側横シール）１５を施して封止することで３方がシールされた包装袋（ピロータイプ包装袋或いはスティックタイプ包装袋等）である。
【００２１】
なお、実施例１の包装袋（包装体）１１の上側横シール１５には、部分的にシールが施されず充填物収容部１４に連通された内容物注出口（ビン口）１６が形成されている。内容物注出口（ビン口）１６は開封されたときに注ぎ口となる。
【００２２】
また、図当該内容物注出口（ビン口）１６と重ならない位置に合掌貼り縦シール））１２は形成されている。
【００２３】
そして、実施例１では、上側横シール１５の横方向端部に形成した切り込みであるノッチ１７（開封開始位置）から開封したときにその開封線が内容物注出口（ビン口）１６を横断して反対側の上側横シール１５の横方向端部（終点）Ｙに到ることができるように、開封予定線Ｘと合掌貼り縦シール１２とが交差する部分（重畳する部分）に、合掌貼り縦シール１２の幅（開封方向長さ）以上のサイズ（長さ）で開封予定線Ｘに沿って（開封予定線Ｘ上に）貫通孔（スリット、切り込み）１８を設けるようにした。
なお、当該貫通孔１８が、本発明に係る貫通部の一例に相当する。
【００２４】
このように、貫通孔（スリット）１８を設けると、使用者がノッチ１７（開封開始位置）から終点Ｙまで開封したときに、開封線上に合掌貼り縦シール１２が存在していても、当該合掌貼り縦シール１２が従来のように開封の妨げとなることが抑制されるため、使用者は良好に開封することができる。
【００２５】
また、貫通孔（スリット）１８自身が開封方向を案内する機能も奏するため、より円滑容易に、使用者は包装袋（包装体）１１を開封することができる。
【００２６】
なお、上側横シール１５の部分に、充填物注出口（注ぎ口、ビン口）等が設けられていない場合において、連設されている包装袋を個別に切り離す際の切り離し線上に縦シールが存在するような場合（例えば、後述する実施例９等参照）にも、本発明は適用可能である（以下で説明する他の例においても同様である）。
【００２７】
すなわち、実施例１によれば、簡単かつ低コストな構成でありながら、縦シールが開封方向（或いは連設された包装袋を個別に切り離すための切り離し方向）に交差して存在する包装袋であっても、良好に開封可能（或いは切り離し可能）として内容物の円滑な取り出しに貢献可能な包装袋を提供することができる。
【００２８】
なお、実施例１の包装袋１００に用いられる包装フィルムは、例えば、ＰＥＴ等のベースフィルム、このベースフィルムよりも融点の低いポリエチレン等のヒートシールフィルムから構成されることができる。また、包装フィルムは、ベースフィルム、中間フィルム、ヒートシールフィルムの３層構造などとすることもできる。以下で述べる他の実施例についても同様である。
【実施例２】
【００２９】
実施例２の包装袋（包装体）２１は、実施例１と同様のピロータイプの包装袋（包装体）であるが、図２に示すように、ノッチ２７（開封開始位置）の位置が合掌貼り縦シール２２を挟んで内容物注出口（ビン口）２６の反対側に位置するように構成されている。
【００３０】
そして、実施例２においても、上側横シール２５の横方向端部に形成した切り込みであるノッチ２７（開封開始位置）から開封したときにその開封線が内容物注出口（ビン口）２６を横断して反対側の上側横シール２５の横方向端部（終点）Ｙに到ることができるように、開封予定線Ｘと合掌貼り縦シール２２とが交差する部分（重畳する部分）に、合掌貼り縦シール２２の幅以上のサイズ（長さ）で開封予定線Ｘに沿って（開封予定線Ｘ上に）、本発明に係る貫通部としての貫通孔（スリット、切り込み）２８が設けられている。
【００３１】
このように、貫通孔（スリット）２８を設けると、使用者がノッチ２７（開封開始位置）から終点Ｙまで開封しようとしたときに、開封線上に合掌貼り縦シール２２が存在していても、当該合掌貼り縦シール２２が従来のように開封の妨げとなることが抑制されるため、使用者は良好に開封することができる。
【００３２】
また、貫通孔（スリット）２８自身が開封方向を案内する機能も奏するため、より円滑容易に、使用者は包装袋（包装体）２１を開封することができる。
【００３３】
すなわち、実施例２によっても、簡単かつ低コストな構成でありながら、縦シールが開封方向（或いは連設された包装袋を個別に切り離すための切り離し方向）に交差して存在する包装袋であっても、良好に開封可能（或いは切り離し可能）として内容物の円滑な取り出しに貢献可能な包装袋を提供することができる。
【実施例３】
【００３４】
実施例３の包装袋（包装体）３１は、実施例１と同様のピロータイプの包装袋（包装体）であるが、図３に示すように、ノッチ３７、３９（開封開始位置）が合掌貼り縦シール３２を挟んで両端に位置するように構成されている。
【００３５】
そして、実施例３においても、上側横シール３５の横方向端部に形成した切り込みであるノッチ３７或いは３９（開封開始位置）から開封したときにその開封線が内容物注出口（ビン口）３６を横断して反対側の上側横シール３５の横方向端部（終点）３９或いは３７に到ることができるように、開封予定線Ｘと合掌貼り縦シール３２とが交差する部分（重畳する部分）に、合掌貼り縦シール３２の幅以上のサイズ（長さ）で開封予定線Ｘに沿って（開封予定線Ｘ上に）、本発明に係る貫通部としての貫通孔（スリット、切り込み）３８が設けられている。
【００３６】
このように、貫通孔（スリット）３８を設けると、使用者がノッチ３７或いは３９（開封開始位置）から終点３９或いは３７まで開封しようとしたときに、開封線上に合掌貼り縦シール３２が存在していても、当該合掌貼り縦シール３２が従来のように開封の妨げとなることが抑制されるため、使用者は良好に開封することができる。
【００３７】
また、貫通孔（スリット）３８自身が開封方向を案内する機能も奏するため、より円滑容易に、使用者は包装袋（包装体）３１を開封することができる。
【００３８】
すなわち、実施例３によっても、簡単かつ低コストな構成でありながら、縦シールが開封方向（或いは連設された包装袋を個別に切り離すための切り離し方向）に交差して存在する包装袋であっても、良好に開封可能（或いは切り離し可能）として内容物の円滑な取り出しに貢献可能な包装袋を提供することができる。
【実施例４】
【００３９】
実施例４の包装袋（包装体）４１は、実施例１と同様のピロータイプの包装袋（包装体）であるが、図４に示すように、ノッチ（開封開始位置）がミシン目開封線（易破断線、易引き裂き線）４７に連続して形成されている。
【００４０】
そして、実施例４においても、上側横シール４５に形成したミシン目開封線４７に沿って開封したときにその開封線が上側横シール４５の横方向端部（終点）Ｙに到ることができるように、ミシン目開封線４７（開封予定線）と合掌貼り縦シール４２とが交差する部分（重畳する部分）に、合掌貼り縦シール４２の幅以上のサイズ（長さ）で開封予定線に沿って、本発明に係る貫通部としての貫通孔（スリット、切り込み）４８が設けられている。
【００４１】
このように、貫通孔（スリット）４８を設けると、使用者がミシン目開封線４７に沿って終点Ｙまで開封しようとしたときに、開封線上に合掌貼り縦シール４２が存在していても、当該合掌貼り縦シール４２が従来のように開封の妨げとなることが抑制されるため、使用者は良好に開封することができる。
【００４２】
また、貫通孔（スリット）４８自身が開封方向を案内する機能も奏するため、より円滑容易に、使用者は包装袋（包装体）４１を開封することができる。
【００４３】
すなわち、実施例４によっても、簡単かつ低コストな構成でありながら、縦シールが開封方向（或いは連設された包装袋を個別に切り離すための切り離し方向）に交差して存在する包装袋であっても、良好に開封可能（或いは切り離し可能）として内容物の円滑な取り出しに貢献可能な包装袋を提供することができる。
【００４４】
なお、図５、図６に例示した包装袋５１、６１においても、上述したと同様の作用効果を奏することができる。
【実施例５】
【００４５】
また、実施例５の包装袋（包装体）７１は、他の実施例の所謂スティックタイプ或いはピロータイプの包装袋と同様であるが、図７（Ａ）、図７（Ｂ）に示すように、合掌貼り縦シール７２が図７（Ａ）、図７（Ｂ）において左端と略一致するように形成された所謂スティックタイプ或いはピロータイプの包装袋である。
【００４６】
そして、実施例５においても、上側横シール７５の横方向端部に形成した切り込みであるノッチ７７（開封開始位置）から開封したときにその開封線が内容物注出口（ビン口）７６を横断して反対側の上側横シール７５の横方向端部（終点）Ｙに到ることができるように、開封予定線と合掌貼り縦シール７２とが交差する部分（重畳する部分）に、合掌貼り縦シール７２の幅以上のサイズ（長さ）で開封予定線に沿って、本発明に係る貫通部としての貫通孔（スリット、切り込み）７８が設けられている。
なお、実施例５では、実質的には、貫通孔（スリット、切り込み）７８がノッチ７７として機能している。
【００４７】
このように、貫通孔（スリット）７８を設けると、使用者がノッチ７７（実質的には符号７８）（開封開始位置）から終点Ｙまで開封しようとしたときに、開封線上に合掌貼り縦シール７２が存在していても、当該合掌貼り縦シール７２が従来のように開封の妨げとなることが抑制されるため、使用者は良好に開封することができる。
【００４８】
また、貫通孔（スリット）７８自身が開封方向を案内する機能も奏するため、より円滑容易に、使用者は包装袋（包装体）７１を開封することができる。
【００４９】
すなわち、実施例５によっても、簡単かつ低コストな構成でありながら、縦シールが開封方向（或いは連設された包装袋を個別に切り離すための切り離し方向）に交差して存在する包装袋であっても、良好に開封可能（或いは切り離し可能）として内容物の円滑な取り出しに貢献可能な包装袋を提供することができる。
【実施例６】
【００５０】
実施例６の包装袋（包装体）８１は、他の実施例と同様のピロータイプの包装袋（包装体）であるが、図８に示すように、ノッチ８７（開封開始位置）の位置が合掌貼り縦シール８２を挟んで内容物注出口（ビン口）８６の反対側に位置するように構成されている。
【００５１】
そして、実施例６においては、上側横シール８５の横方向端部に形成した切り込みであるノッチ８７（開封開始位置）から開封したときにその開封線が内容物注出口（ビン口）８６を横断して反対側の上側横シール８５の横方向端部（終点）Ｙに到ることができるように、開封予定線と合掌貼り縦シール８２とが交差する部分（重畳する部分）に、合掌貼り縦シール８２の幅以上のサイズ（長さ）で開封予定線に沿って、本発明に係る貫通部としての貫通孔（スリット、切り込み）８８が設けられている。
【００５２】
なお、貫通孔（スリット、切り込み）８８のノッチ８７（開封開始位置）側の端部には、上側横シール８５の延在方向に対して交差する方向に延在される傾斜部８８Ａが接続（連設）されている。貫通孔（スリット、切り込み）８８は、傾斜部８８Ａと接続されてＬ字状貫通孔となっている。
【００５３】
このように、傾斜部８８Ａを設けると、使用者がノッチ８７（開封開始位置）から終点Ｙまで開封しようとしたときに、開封線が多少斜めに進行等したとしても、開封線を傾斜部８８Ａと交わらせることができるため、効果的に開封線を貫通孔（スリット）８８まで導くことができる。
【００５４】
このため、他の実施例と同様に、開封線上に合掌貼り縦シール８２が存在していても、当該合掌貼り縦シール８２が従来のように開封の妨げとなることが抑制されるため、使用者は良好に開封することができる。
【００５５】
また、貫通孔（スリット）８８が開封方向を案内する機能も奏するため、より円滑かつ容易に、使用者は包装袋（包装体）８１を開封することができる。
【００５６】
すなわち、実施例６によっても、簡単かつ低コストな構成でありながら、縦シールが開封方向（或いは連設された包装袋を個別に切り離すための切り離し方向）に交差して存在する包装袋であっても、良好に開封可能（或いは切り離し可能）として内容物の円滑な取り出しに貢献可能な包装袋を提供することができる。
【実施例７】
【００５７】
実施例７の包装袋（包装体）９１は、他の実施例と同様のピロータイプの包装袋（包装体）であるが、図９に示すように、合掌貼り縦シール９２を挟んで内容物注出口（ビン口）９６の反対側にミシン目開封線９７（開封開始位置）が設けられている。
【００５８】
そして、上側横シール９５に形成したミシン目開封線９７に沿って開封したときにその開封線が上側横シール９５の横方向端部（終点）Ｙに到ることができるように、ミシン目開封線９７（開封予定線）と合掌貼り縦シール９２とが交差する部分（重畳する部分）に、合掌貼り縦シール９２の幅以上の所定サイズ（径）を有する貫通孔（ノッチ付き円型貫通孔）９８が設けられている。
当該貫通孔９８が、本発明に係る貫通部の一例に相当する。
【００５９】
また、貫通孔９８には、残りの上側横シール９５を良好に破断して内容物注出口（ビン口）９６を良好に開封することができるように、円型貫通孔の内容物注出口（ビン口）９６側に開封線を連続させるために役立つノッチ９８Ａが設けられている。
【００６０】
このような構成の貫通孔９８を設けると、使用者がミシン目開封線９７に沿って終点Ｙまで開封しようとしたときに、開封線上に合掌貼り縦シール９２が存在していても、当該合掌貼り縦シール９２が従来のように開封の妨げとなることが抑制されるため、使用者は良好に開封することができる。
【００６１】
さらに、実施例７においては、貫通孔９８は、円形状に貫通され（打ち抜かれ）ており、当該貫通部分をディスプレイ用（店舗販売展示用など）の引っ掛け孔（フック等に引っ掛けるための孔）としても利用することができる。
【００６２】
また、実施例７の貫通孔９８は、当該貫通孔９８から内容物注出口（ビン口）９６までの残りの上側横シール９５を良好に破断して内容物注出口（ビン口）９６を良好に開封することができるように、円型貫通孔の内容物注出口（ビン口）９６側にノッチ９８Ａを設けているので、開封線を良好な方向に仕向けて内容物注出口（ビン口）９６を良好に開封することができる。
【００６３】
また、貫通孔９８の形状は、図示したものに限らず、星型、多角形型、ハート型など様々な形状とすることがきるため、見栄えや美観を良くすることなどに貢献可能である。ノッチ９８Ａの形状も特に限定されるものではなく、線状の切り込みノッチなどとすることもできる。
【００６４】
すなわち、実施例７によっても、簡単かつ低コストな構成でありながら、縦シールが開封方向（或いは連設された包装袋を個別に切り離すための切り離し方向）に交差して存在する包装袋であっても、良好に開封可能（或いは切り離し可能）として内容物の円滑な取り出しに貢献可能であると共に、ディスプレイ等のために使い勝手が良く、かつ見栄えや美観等も良くすることができる包装袋を提供することができる。
【実施例８】
【００６５】
実施例８の包装袋（包装体）１０１は、他の実施例と同様のピロータイプの包装袋（包装体）であるが、図１０に示すように、内容物注出口（ビン口）１０６の反対側の上側横シール１０５の開封時切り離し部分（合掌貼り縦シール１０２との交差部分を含む）が予め切除され、内容物注出口（ビン口）１０６の付近にノッチ１０７（開封開始位置）が設けられている。
【００６６】
すなわち、実施例８において、本発明に係る貫通部は、上側横シール１０５の上端及び開封開始側端部まで延在（拡張）され、これにより、上側横シール１０５の一部が切除されている。
【００６７】
このように、上側横シール１０５の合掌貼り縦シール１０２部分全幅を含む部分を予め切除して貫通部としておくことで、合掌貼り縦シール１０２と内容物注出口（ビン口）１０６の間の位置にノッチ１０７を形成することができるので、開封線上に合掌貼り縦シール１０２を存在させないようにすることができ、開封を良好なものとすることができる。
【００６８】
すなわち、実施例８によっても、簡単かつ低コストな構成でありながら、縦シールが開封方向（或いは連設された包装袋を個別に切り離すための切り離し方向）に交差して存在する包装袋であっても、良好に開封可能（或いは切り離し可能）として内容物の円滑な取り出しに貢献可能な包装袋を提供することができる。
【実施例９】
【００６９】
実施例９の包装袋（包装体）１１１は、他の実施例と同様のピロータイプの包装袋（包装体）であるが、図１１に示すように、複数の包装袋１１１が連設され、その間（下方の包装袋１１１の上側横シール１１５と、上方の包装袋１１１の底側横シール１１３の間）に個別に切り離すための切り離し線（ミシン目）１１７が設けられている。なお、図１１では内容物注出口（ビン口）のない例を示しているが、例えば上記実施例で例示したと同様の内容物注出口（ビン口）を設けた包装袋を複数連設した場合の切り離し部にも適用可能である。また、２つの包装袋１１１を連設しているが、２以上の複数の包装袋を連設する場合にも同様に適用可能である。
【００７０】
そして、実施例９では、切り離し線（ミシン目）１１７と、合掌貼り縦シール１１２とが交差する部分（重畳する部分）に、合掌貼り縦シール１１２の幅以上で切り離し線（ミシン目）１１７に沿って、細長い貫通孔１１８を設けるようにした。
なお、当該貫通孔１１８が、本発明に係る貫通部の一例に相当する。
【００７１】
このように、貫通孔１１８を設けると、使用者が切り離し線（ミシン目）１１７に沿って包装袋１１１を個別に切り離そうとしたときに、切り離し線上に合掌貼り縦シール１１２が存在していても、当該合掌貼り縦シール１１２が従来のように開封の妨げとなることが抑制されるため、使用者は良好に切り離すことができる。  
【００７２】
なお、貫通孔１１８の形状は特に限定されるものではなく、切り離し線（ミシン目）１１７と同じ線幅の貫通孔（スリット、切り込みなど）とすることができるし、実施例７のように円形状或いは星形状やハート形状などなどとして、見栄えや美観を良くしたり、ディスプレイ用の引っ掛け孔として利用するように構成することも可能である。
【００７３】
すなわち、実施例９によっては、簡単かつ低コストな構成でありながら、連設された包装袋を個別に切り離すための切り離し方向に交差して存在する包装袋であっても、良好に切り離し可能とすることに貢献可能であると共に、ディスプレイ等のために使い勝手が良く、かつ見栄えや美観等も良くすることができる包装袋を提供することができる。
【００７４】
なお、上記では、貫通孔（スリット、切り込み）１８等として説明したが、本発明はこれに限定されるものではなく、貫通孔（スリット、切り込み）１８等に代えて、開封を容易にできるようにするためのミシン目などとすることも可能である。
【００７５】
なお、上述した実施の形態では、包装フィルムの内面同士を対面させて縦シール（合掌貼り縦シール）を施した場合の例を例示したが、本発明はこれに限らず、内側となる包装フィルムの端部の外面と、外側となる包装フィルムの端部の内面と、を重ね合わせて縦シールを形成するタイプの包装袋にも適用可能であり、かかる場合でも、簡単かつ低コストな構成でありながら、縦シールが開封方向（或いは連設された包装袋を個別に切り離すための切り離し方向）に交差して存在する包装袋であっても、良好に開封可能（或いは切り離し可能）として内容物の円滑な取り出しに貢献可能な包装袋を提供することに貢献可能である。
【００７６】
また、本発明に係る上側横シールには、美観及びシール強度を向上させると共に開封の際の案内として機能させるなどのために、開封方向と並行な模様（上側横シール１５の延在方向（開封方向）に沿った複数の縦溝或いは縦すじ、凹凸など）が施すことができる。
【００７７】
また、上述した実施の形態では、充填物注出口（内容物注出口）が記載されていたが、本発明はこれに限らず、充填物注出口（内容物注出口）が無い構成で、ノッチ及びミシン目開封線及び貫通部を充填物収容部（内容物収容部）の開封予定部分へ向けた折れ線または斜線または曲線とすることも可能である。
【００７８】
また、充填物注出口（内容物注出口）は、左右がシールされた形状が例示されているが、本発明はこれに限らず、充填物注出口（内容物注出口）の形状を左右いずれか一方がシールされていて、左右いずれか他方を包装フィルムの折り返し辺とすることも可能である。
【００７９】
以上で説明した実施の形態は、本発明を説明するための例示に過ぎず、本発明の要旨を逸脱しない範囲内において、種々変更を加え得ることは勿論である。
【符号の説明】
【００８０】
１１    包装袋（包装体：ピロー或いはスティックタイプ）（実施例１）
１２    合掌貼り縦シール
１３    底側横シール
１４    充填物収容部（内容物収容部）
１５    上側横シール
１６    充填物注出口（内容物注出口、注ぎ口、ビン口）
１７    ノッチ（切り込み）（開封開始位置）
１８    貫通孔（スリット、切り込み）
２１、３１、４１、５１、６１、７１、８１、９１、１０１、１１１    包装袋（包装体）
２２、３２、４２、５２、６２、７２、８２、９２、１０２、１１２    合掌貼り縦シール
２３、３３、４３、５３、６３、７３、８３、９３、１０３、１１３    底側横シール
２４、３４、４４、５４、６４、７４、８４、９４、１０４、１１４    充填物収容部（内容物収容部）
２５、３５、４５、５５、６５、７５、８５、９５、１０５、１１５    上側横シール
２６、３６、４６、５６、６６、７６、８６、９６、１０６    充填物注出口（内容物注出口、注ぎ口、ビン口）
２７、３７、３９、５７、７７、８７、１０７    ノッチ（切り込み）（開封開始位置）
２８、３８、４８、５８、６８、７８、１１８    貫通孔（スリット、切り込み）（本発明に係る貫通部の一例に相当）
３９、４７、５９、６７、６９、９７    ミシン目開封線（本発明に係る開封線の一例）
１１７  ミシン目切り離し線（本発明に係る切り離し線の一例）
８８、８８Ａ    貫通孔（Ｌ字型貫通孔）
９８  貫通孔（ノッチ付き丸型貫通孔））（本発明に係る貫通部の一例）
【図１】
2019059489.tif 000003
【図２】
2019059489.tif 000004
【図３】
2019059489.tif 000005
【図４】
2019059489.tif 000006
【図５】
2019059489.tif 000007
【図６】
2019059489.tif 000008
【図７】
2019059489.tif 000009
【図８】
2019059489.tif 000010
【図９】
2019059489.tif 000011
【図１０】
2019059489.tif 000012
【図１１】
2019059489.tif 000013
【図１２】
2019059489.tif 000014